(57)【要約】【課題】端子収容室の防水性能を高めることができるコネクタカバーを提供すること。【解決手段】複数の端子収容室６２ａに収容された端子９１に接続された電線９０が端子収容室６２ａに繋がる電線引き出し口６３ａから電線９０の外周に取り付けられた防水シール部材９３によって防水可能に引き出されるコネクタハウジング６１の一端部に装着され、かつ、複数の電線引き出し口６３ａから引き出された複数の電線９０が所定の方向に屈曲されるようにガイドするコネクタカバー１において、端子収容室６２ａへの端子９１の挿入方向と平行、かつ、電線引き出し口６３ａから引き出された電線９０の屈曲方向に並んで配置され、電線引き出し口６３ａから引き出された電線９０を電線引き出し口６３ａの近傍から端子の挿入方向に平行に矯正したい区間だけ電線引き出し口６３ａの近傍から延在された仕分壁２２が、複数の電線引き出し口６３ａに対応して複数設けられている。【選択図】図７
2017212099.tif 000002
【特許請求の範囲】
【請求項１】
コネクタハウジングの複数の端子収容室に収容された端子に接続された電線が前記端子収容室に繋がる電線引き出し口から前記電線の外周に取り付けられた防水シール部材によって防水可能に引き出される前記コネクタハウジングの一端部に装着され、かつ、複数の前記電線引き出し口から引き出された複数の前記電線が所定の方向に屈曲されるようにガイドするコネクタカバーにおいて、
前記端子収容室への前記端子の挿入方向と平行、かつ、前記電線引き出し口から引き出された前記電線の屈曲方向に並んで配置され、前記電線引き出し口から引き出された前記電線を前記電線引き出し口の近傍から前記端子の挿入方向に平行に矯正したい区間だけ前記電線引き出し口の近傍から延在された仕分壁が、前記複数の電線引き出し口に対応して複数設けられている
ことを特徴とするコネクタカバー。
【請求項２】
前記コネクタカバーは、
前記電線引き出し口から引き出された前記電線を前記電線引き出し口から離間した位置まで屈曲方向にガイドするカバー本体部と、
前記カバー本体部にヒンジ部を介して回動可能に連結され、かつ、前記複数の仕分壁が立設され、前記ヒンジ部を介して前記カバー本体部が回動されることによって、前記複数の仕分壁が対応する前記電線から離れた電線仕分解除位置と、前記複数の仕分壁が対応する前記電線に並んで配置される電線仕分位置との間で移動可能とされるサブカバー部と、
を有し、
前記複数の仕分壁は、
前記サブカバー部が前記ヒンジ部を介して前記電線仕分解除位置から前記電線仕分位置に回動されることによって、壁の上端部が、対応する前記電線に取り付けられた前記防水シール部材の前記電線引き出し口側の端部近傍から隣り合う前記電線の間に挿入開始されるように前記上端部の回動軌跡が調整されている
ことを特徴とする請求項１に記載のコネクタカバー。
【請求項３】
前記複数の仕分壁は、
前記上端部がＣ面取り加工を施されている
ことを特徴とする請求項２に記載のコネクタカバー。
【発明の詳細な説明】
【技術分野】
【０００１】
本発明は、コネクタハウジングの一端部に設けられた複数の電線引き出し口から引き出された複数の電線を所定の方向に屈曲されるようにガイドするコネクタカバーに関する。
【背景技術】
【０００２】
従来、電線の端末部に端子が取り付けられた端子付き電線の端子がコネクタハウジング内に設けられた端子収容室内に収容されたコネクタは、コネクタハウジングの後端部に端子収容室に連続された電線引き出し口が設けられ、この電線引き出し口から電線が引き出されるようになっている。
このため、端子付き電線は、電線の外周にゴム栓等の防水シール部材が取り付けられ、この防水シール部材によって電線引き出し口を防水可能に封止した状態で端子収容室内に端子が収容されるようになっている。
【０００３】
このようなコネクタは、電線引き出し口から引き出される電線を所定の方向に屈曲させる場合、コネクタハウジングの端部に取り付けられるコネクタカバーによって引き出される電線の向きをガイドするようになっている。
【０００４】
例えば、特許文献１および特許文献２には、コネクタハウジングの電線引き出し口側の端部に取り付けられ、コネクタハウジングの各端子収容室に繋がる各電線引き出し口から引き出された複数の電線を所定の方向に屈曲して誘導するようしたコネクタカバーが記載されている。
【先行技術文献】
【特許文献】
【０００５】
【特許文献１】特開２０１３−１８７０６０号公報
【特許文献２】特開平９−１９９２２０号公報
【発明の概要】
【発明が解決しようとする課題】
【０００６】
しかしながら、特許文献１および特許文献２に記載されたコネクタカバーは、電線引き出し口から引き出された電線が屈曲されると、電線引き出し口周辺で電線が斜めになり、それにともなって電線の外周に取り付けされた防水シール部材が変形され、端子収容室の内壁面から離れることによって隙間が生じるため、端子収容室の防水性能が低下してしまう問題があった。
【０００７】
本発明は、上記に鑑みてなされたものであって、端子収容室の防水性能を高めることができるコネクタカバーを提供することを目的とする。
【課題を解決するための手段】
【０００８】
上述した課題を解決し、目的を達成するために、本発明の請求項１に係るコネクタカバーは、コネクタハウジングの複数の端子収容室に収容された端子に接続された電線が前記端子収容室に繋がる電線引き出し口から前記電線の外周に取り付けられた防水シール部材によって防水可能に引き出される前記コネクタハウジングの一端部に装着され、かつ、複数の前記電線引き出し口から引き出された複数の前記電線が所定の方向に屈曲されるようにガイドするコネクタカバーにおいて、前記端子収容室への前記端子の挿入方向と平行、かつ、前記電線引き出し口から引き出された前記電線の屈曲方向に並んで配置され、前記電線引き出し口から引き出された前記電線を前記電線引き出し口の近傍から前記端子の挿入方向に平行に矯正したい区間だけ前記電線引き出し口の近傍から延在された仕分壁が、前記複数の電線引き出し口に対応して複数設けられていることを特徴とする。
【０００９】
また、本発明の請求項２に係るコネクタカバーは、前記コネクタカバーは、前記電線引き出し口から引き出された前記電線を前記電線引き出し口から離間した位置まで屈曲方向にガイドするカバー本体部と、前記カバー本体部にヒンジ部を介して回動可能に連結され、かつ、前記複数の仕分壁が立設され、前記ヒンジ部を介して前記カバー本体部が回動されることによって、前記複数の仕分壁が対応する前記電線から離れた電線仕分解除位置と、前記複数の仕分壁が対応する前記電線に並んで配置される電線仕分位置との間で移動可能とされるサブカバー部と、を有し、前記複数の仕分壁は、前記サブカバー部が前記ヒンジ部を介して前記電線仕分解除位置から前記電線仕分位置に回動されることによって、壁の上端部が、対応する前記電線に取り付けられた前記防水シール部材の前記電線引き出し口側の端部近傍から隣り合う前記電線の間に挿入開始されるように前記上端部の回動軌跡が調整されていることを特徴とする。
【００１０】
また、本発明の請求項３に係るコネクタカバーは、前記複数の仕分壁は、前記上端部がＣ面取り加工を施されていることを特徴とする。
【発明の効果】
【００１１】
本発明の請求項１に係るコネクタカバーは、前記複数の電線引き出し口に対応して設けられた前記複数の仕分壁が、前記端子収容室への前記端子の挿入方向と平行、かつ、前記電線引き出し口から引き出された前記電線の屈曲方向に並んで配置され、前記電線引き出し口から引き出された前記電線を前記電線引き出し口の近傍から前記端子の挿入方向に平行に矯正したい区間だけ前記電線引き出し口の近傍から延在されているので、前記複数の電線引き出し口から引き出された前記電線が屈曲された状態で屈曲方向に引っ張られると、前記電線引き出し口の周辺部分の前記電線が、前記仕分壁に押し当てられ、前記電線引き出し口の近傍から前記端子の挿入方向に平行に矯正したい区間だけ前記仕分壁に沿って前記端子の挿入方向に平行になるように矯正され、これによって、前記電線が屈曲方向に引っ張られて前記防水シール部材が前記端子の挿入方向に対して傾くことを阻止することができるため、前記電線引き出し口と前記防水シール部材との間に隙間が発生することを防止し、結果的に、端子収容室の防水性能を高めることができる。
【００１２】
本発明の請求項２に係るコネクタカバーは、前記複数の仕分壁が、前記サブカバー部が前記ヒンジ部を介して前記電線仕分解除位置から前記電線仕分位置に回動されることによって、壁の前記上端部が、対応する前記電線に取り付けられた前記防水シール部材の前記電線引き出し口側の端部近傍から隣り合う前記電線の間に挿入開始されるように、前記上端部の回動軌跡が調整されているので、隣り合う前記電線の間に配置される前記仕分壁が、前記防水シール部材の端部近傍の前記防水シール部材の厚みによる影響で、隣り合う前記電線の隙間が確保され易い部分に挿入開始され、結果的に、前記仕分壁によって前記複数の電線を仕分けし易くすることができる。
【００１３】
本発明の請求項３に係るコネクタカバーは、前記上端部がＣ面取り加工を施されているので、隣り合う前記電線の間に前記上端部が挿入され易くなるので、前記仕分壁によって前記複数の電線をより仕分けし易くすることができる。
【図面の簡単な説明】
【００１４】
【図１】図１は、本発明の実施例に係るコネクタカバーを組み込んだ車載カメラの分解斜視図である。
【図２】図２は、（ａ）が図１に示した車載カメラの側面図であり、（ｂ）が（ａ）に示した車載カメラのＡ−Ａ線断面図である。
【図３】図３は、図１に示した第二コネクタの断面図である。
【図４】図４は、図１に示した第二コネクタハウジングを第二嵌合部側から斜視図である。
【図５】図５は、サブカバー部が電線仕分け解除位置にある状態のカバー内側から視たコネクタカバーの斜視図である。
【図６】図６は、サブカバー部を３つの仕分壁が設けられた端面側から視た図である。
【図７】図７は、サブカバー部が電線仕分解除位置のコネクタカバーを第二コネクタハウジングに取り付け可能な向きにした状態を説明するための図である。
【図８】図８は、（ａ）が図７に示したコネクタカバーと、コネクタカバーを取り付ける前の第二コネクタとを異なる方向から視た図であり、（ｂ）がコネクタカバーを取り付ける前の第二コネクタハウジングから引き出される電線を（ａ）の状態よりも大きく屈曲させた状態を示した図である。
【図９】図９は、（ａ）がサブカバー部が電線仕分解除位置のコネクタカバーを第二コネクタハウジングに取り付けた状態を説明するための図であり、（ｂ）が（ａ）に示した第二コネクタを電線が屈曲される方向から視た図である。
【図１０】図１０は、サブカバー部を電線仕分位置にすることによってサイドカバー部を第二コネクタハウジングに組み付け完了した状態の第二コネクタを示した図である。
【発明を実施するための形態】
【００１５】
以下、図面を参照して、本発明に係るコネクタカバーの好適な実施例を詳細に説明する。
【実施例】
【００１６】
図１は、本発明の実施例に係るコネクタカバー１を組み込んだ車載カメラ１００の分解斜視図である。図２は、（ａ）が図１に示した車載カメラ１００の側面図であり、（ｂ）が（ａ）に示した車載カメラ１００のＡ−Ａ線断面図である。図３は、図１に示した第二コネクタ６０の断面図である。図４は、図１に示した第二コネクタハウジング６１を第二嵌合部６２側から斜視図である。図５は、サブカバー部２０が電線仕分け解除位置Ｐ１にある状態のカバー内側から視たコネクタカバー１の斜視図である。図６は、サブカバー部２０を３つの仕分壁２２が設けられた端面側から視た図である。
本発明の実施例に係るコネクタカバー１は、車載カメラ１００に組み込まれるものである。
以下、車載カメラ１００の説明をしつつ、コネクタカバー１の詳細構成について説明する。
【００１７】
車載カメラ１００は、不図示のカメラ機能部品が設けられた第一コネクタ５０と、電線９０を介してカメラ機能部品を外部に電気的に接続させる第二コネクタ６０とが、防水パッキン９４を介してコネクタ嵌合されるようになっている。
【００１８】
コネクタカバー１は、第二コネクタ６０の後述する第二コネクタハウジング６１に装取り付けられることによって、６つの電線引き出し口６３ａから引き出された６本の電線９０が所定の方向に屈曲されるようにガイドするようになっている。
【００１９】
まず、第一コネクタ５０について説明する。
第一コネクタ５０は、カメラ機能部品の電気的接続部分となる第一端子５４が設けられ、カメラ筐体５３の端縁面が当接するフランジ部５１ａを有してカメラ筐体５３が組み付けられる第一コネクタハウジング５１を有してなる。
【００２０】
第一コネクタハウジング５１は、第一端子５４としての複数の雄端子が内部に収容され、第二コネクタハウジング６１に嵌合される部分となる第一嵌合部５２と、カメラ筐体５３と合わせてカメラ機能部品の収容空間を構成するケース部５２と、を有し、フランジ部５１ａが、ケース部５２の外周面に沿ってカメラ筐体５３の端縁面が当接される当接面を形成するように設けられている。
【００２１】
第一嵌合部５２は、第一コネクタハウジング５１と第二コネクタハウジング６１との嵌合方向に直交する断面外形が略矩形状である筒状をなし、嵌合口に先端を向けるようにして複数の第一端子５４が保持収容されている。
各第一端子５４は、圧入、あるいは、インサート成形によって第一嵌合部内の所定位置に保持されている。
【００２２】
この第一嵌合部５２は、外面に第二コネクタハウジング６１の後述するロックアーム部６４がロックされるロック突起５２ａが設けられている。
【００２３】
次に、第二コネクタ６０について説明する。
第二コネクタ６０は、第一端子５４に接続される第二端子９１が電線９０の端部に取り付けられた状態で収容され、第一コネクタハウジング５１と嵌合される第二コネクタハウジング６１と、第二コネクタハウジング６１の前端に装着されることによって、第二コネクタハウジング６１の後述する端子収容室６２ａを画成するとともに、第一コネクタハウジングの５１内部前端面に突き当てられる突き当て面が設けられた保持部材７０と、第二コネクタハウジング６１に取り付けられることによって、端子収容室６２ａ内に収容された第二端子９１を係止する係止部材８０と、を有してなる。
【００２４】
第二コネクタハウジング６１は、絶縁性樹脂材からなるブロック状をなし、第一嵌合部５２と嵌合される部分である第二嵌合部６２と、端子収容室６２ａに収容された第二端子９１に接続された電線９０が端子収容室６２ａ外に引き出される側の第二コネクタハウジング６１の端部を構成する電線引き出し部６３と、第一コネクタハウジング５１に設けられたロック突起５２ａにロックするロックアーム部６４と、係止部材８０が装着される係止部材装着部６５と、を有してなる。
【００２５】
第二嵌合部６２は、６つの第二端子９１がそれぞれ収容される６つの端子収容室６２ａが、２行３列に並んで設けられ、保持部材７０が装着された状態で保持部材７０とともに第一嵌合部５２内終端位置まで嵌め込まれる内側嵌合部６２ｃと、第二嵌合部６２の外壁を形成し第一嵌合部５２の外側に重なるようにして第一嵌合部５２と嵌め合う外側嵌合壁６２ｄとを有してなる。
【００２６】
このように、第二嵌合部６２は、内側嵌合部６２ｃと外側嵌合壁６２ｄとの二重の嵌合構造になっており、第一コネクタハウジング５１と第二コネクタハウジング６１とが嵌合された状態で、内側嵌合部６２ｃと外側嵌合壁６２ｄとの間に第一嵌合部５２の嵌合口端部周辺が配置され、かつ、内側嵌合部６２ｃと第一嵌合部５２との間が防水パッキン９４によって防水可能に封止されるようになっている。
【００２７】
電線引き出し部６３は、第二嵌合部６２内の端子収容室６２ａに電線９０の端末部に接続された第二端子９１を挿入する開口であり、端子収容室６２ａに収容された第二端子９１に接続された電線９０が引き出される開口でもある６つの電線引き出し口６３ａと、コネクタカバー１の後述する４つの係止爪部１３が係止される一対の被係止舌片部６３ｂと、を有し、第二嵌合部６２に設けられた６つの端子収容室６２ａを電線引き出し口６３ａまで連続させるように第二嵌合部６２の嵌合口とは逆方向に突出されるように本体部分６３ｄが設けられている。
【００２８】
６つの電線引き出し口６３ａは、６つの端子収容室６２ａにそれぞれ繋がるため、６つの端子収容室６２ａの配置と等しく２行３列に並んで設けられている。
【００２９】
一対の被係止舌片部６３ｂは、電線引き出し部６３の本体部分６３ｄの両側部から舌片状に突出された部分であり、本体部分６３ｄの電線引き出し口６３ａが設けられる側の端面６３ｅ（以下、「電線引き出し側端面」という。）と略面一になるように設けられている。
【００３０】
コネクタカバー１は、第二コネクタハウジング６１の６つの端子収容室６２ａに収容された６つの第二端子９１に接続された電線９０が端子収容室６２ａに繋がる電線引き出し口６３ａから電線９０の外周に取り付けられた防水シール部材９３によって防水可能に引き出される第二コネクタハウジング６１の一端部に装着され、かつ、６つの電線引き出し口６３ａから引き出された６本の電線９０が所定の方向に屈曲されるようにガイドする。
【００３１】
このコネクタカバー１は、端子収容室６２ａへの第二端子９１の挿入方向Ｄ（以下、単に「端子挿入方向」という。）と平行、かつ、電線引き出し口６３ａから引き出された電線９０の屈曲方向に並んで配置され、電線引き出し口６３ａから引き出された電線９０を電線引き出し口６３ａの近傍から端子挿入方向に平行に矯正したい区間だけ電線引き出し口６３ａの近傍から延在された仕分壁２２が、２行３列に並ぶ６つの電線引き出し口６３ａの３列の電線引き出し口６３ａに対応して３つ設けられている。
【００３２】
より具体的には、コネクタカバー１は、電線引き出し口６３ａから引き出された電線９０を電線引き出し口６３ａから離間した位置まで屈曲方向にガイドするカバー本体部１０と、カバー本体部１０にヒンジ部２６を介して回動可能に連結され、かつ、３つの仕分壁２２が立設され、ヒンジ部２６を介してサブカバー本体部２１を回動させることによって、３つの仕分壁２２が対応する電線９０から離れた電線仕分解除位置Ｐ１と、３つの仕分壁２２が対応する電線９０に並んで配置される電線仕分位置Ｐ２との間で移動可能とされるサブカバー部２０と、を有してなる。
【００３３】
カバー本体部１０は、第二コネクタハウジング６１への取り付け部分となる取付部１１と、各電線引き出し口６３ａから引き出される６本の電線９０を屈曲方向にガイドするガイドカバー部１４と、を有してなる。
【００３４】
取付部１１は、電線引き出し部６３の電線引き出し側端面６３ｅに突き当てられる突き当て面１２ａが設けられた取付本体部１２と、取付本体部１２の突き当て面１２ａに突設され、一対の被係止舌片部６３ｂに係止される４つの係止爪部１３と、を有してなる。
【００３５】
係止爪部１３は、被係止舌片部６３ｂの板厚に略等しい幅で突き当て面１２ａから起立された起立壁部１３ａと、起立壁部１３ａから内側に向けて略直角に屈曲するように突出された爪部１３ｂと、を有してなる。
【００３６】
４つの係止爪部１３は、一対の被係止舌片部６３ｂの各被係止舌片部６３ｂを２つの係止爪部１３の起立壁部１３ａによって側方から挟み込み、かつ、爪部１３ｂに引っ掛けることができるように、２つの係止爪部１３ごとに互いの起立壁部１３ａを対向させて配置されている。
【００３７】
コネクタカバー１は、取付部１１の突き当て面１２ａが電線引き出し部６３の電線引き出し側端面６３ｅに突き当てられ、４つの係止爪部１３が２つの係止爪部１３ごとに対で各被係止舌片部６３ｂに係止されることによって、第二コネクタハウジング６１に取り付けられる。
【００３８】
ガイドカバー部１４は、６つの電線引き出し口６３ａから引き出された各電線９０が電線引き出し口６３ａ周辺で端子挿入方向Ｄと平行に電線９０が引き出される部分を許容する電線非屈曲許容部１５と、電線非屈曲許容部１５を間にして電線引き出し部６３から離間された位置で６本の電線９０を屈曲させる方向に沿って延びる壁を含む電線屈曲方向ガイド部１６と、を有してなる。
【００３９】
電線非屈曲許容部１５は、列の並びで屈曲方向内側の電線９０が配置される側には電線９０を屈曲方向にガイドする壁は設けられず、列の並びで屈曲方向外側の電線９０が配置される側に電線９０の屈曲方向に向けて緩やかな曲面を形成されて電線屈曲方向ガイド部１６に連続される壁が設けられている。
このため、電線非屈曲許容部１５は、各電線引き出し口６３ａから引き出された電線９０に対して屈曲されない状態で端子挿入方向Ｄに平行に延びた部分をもたせる空間が確保されるようになっている。
【００４０】
電線屈曲方向ガイド部１６は、断面が半円形状になっておりその軸方向が電線９０の屈曲方向に平行になっている。
このため、各電線引き出し口６３ａから引き出された電線９０は、この電線屈曲方向ガイド部１６によって屈曲方向に方向付けられるようになっている。
【００４１】
このような、カバー本体部１０を構成する壁の一部がサブカバー部２０のサブカバー本体部２１になっており、サブカバー部２０が、電線仕分位置Ｐ２に配置された状態でカバー本体部１０の壁が電線非屈曲許容部１５および電線屈曲方向ガイド部１６として連続的に繋がる壁を構成するようになっている。
このため、カバー本体部１０には、サブカバー部２０が電線仕分解除位置Ｐ１に配置された状態でカバー本体部１０の壁がサブカバー本体部２１に対応した領域でくり抜かれたサブカバー嵌め込み開口１０ａが設けられている
【００４２】
サブカバー本体部２１は、電線非屈曲許容部１５および電線屈曲方向ガイド部１６の両領域に渡って電線引き出し口６３ａから真直ぐに延びる方向に沿って連続された壁からなり、電線屈曲方向ガイド部１６側の一端部がヒンジ部２６に連結され、電線非屈曲許容部１６側の自由端となる他端部に３つの仕分壁２２が並設されている。
【００４３】
このサブカバー本体部２１は、３つの仕分壁２２がサブカバー本体部２１の内壁面に３つ並んで立設されている。
各仕分壁２２は、上端部がＣ面取り加工を施されている。
【００４４】
また、３つの仕分壁２２は、並び方向で両側の２つの仕分壁２２がサブカバー本体部２１の両端面に沿って設けられている。
【００４５】
このサブカバー本体部２１の両端面側に設けられた２つの仕分壁２２の外側面２２ａには、サブカバー本体部２１がヒンジ部２６を介して過大に回動されないようにサブカバー本体部２１のヒンジ部２６を介した回動範囲を規制する過大回動防止リブ２３と、カバー本体部２１が電線仕分位置Ｐ２でサブカバー嵌め込み開口１０ａに嵌め込めこまれた状態でロックするためのロック突起２４が設けられている。
【００４６】
過大回動防止リブ２３は、外面がサブカバー本体部２１の外面に面一になるように片状に突出され、サブカバー嵌め込み開口１０ａの縁面に沿って設けられた凹部２５に嵌め込まれつつ、内面が凹部２５の底面２５ａに当接されることによってサブカバー本体部２１が過大に回動されることが阻止されるようになっている。
【００４７】
３つの仕分壁２２は、サブカバー本体部２１が電線仕分位置Ｐ２に配置されると、各仕分壁２２が、対応する端子収容室６２ａへの端子挿入方向Ｄと平行、かつ、電線引き出し口６２ａから引き出された電線９０の屈曲方向に並んで配置される。
このため、３つの仕分壁２２は、電線引き出し口６２ａから引き出された電線９０を電線引き出し口６２ａの近傍から所定の区間だけ端子挿入方向Ｄに平行になるように矯正できるようになっている。
より具体的には、仕分壁２２は、電線９０の屈曲方向に並んで配置されるので、電線９０が屈曲された状態で電線９０が屈曲方向に引っ張られると、電線引き出し口６２ａの周辺部分の電線９０が仕分壁２２に押し当てられる。
このため、電線９０は、仕分壁２２に押し当てられた部分、すなわち、仕分壁２２が設けられた電線引き出し口６２ａの近傍から端子挿入方向Ｄに平行に矯正したい区間だけ仕分壁２２に沿って端子挿入方向Ｄに平行になるように矯正される。
【００４８】
また、３つの仕分壁２２は、サブカバー部２０がヒンジ部２６を介して電線仕分解除位置Ｐ１から電線仕分位置Ｐ２に回動されることによって、壁の上端部２２ｂが、対応する電線の外周に取り付けられた防水シール部材９３の電線引き出し口６３ａ側の端部近傍から隣り合う電線９０の間に挿入開始されるように上端部２２ｂの回動軌跡Ｌが調整されている。
【００４９】
このため、列方向で隣り合う電線９０の間に配置される２つの仕分壁２２が、防水シール部材９３の端部近傍の隣り合う電線９０の隙間が確保し易い部分に挿入開始される。
これにより、並んで配置された電線９０の間を仕分壁２２によって仕分け易くすることができるようになっている。
しかも、各仕分壁２２は、上端部２２ｂがＣ面取り加工を施されているので、並んで配置された電線９０の間をより仕分けし易くなっている。
【００５０】
次に、図７−図１０を用いて、第二コネクタ６０の第二コネクタハウジング６１へのコネクタカバー１の組み付け手順について説明する。
図７は、サブカバー部２０が電線仕分解除位置Ｐ１のコネクタカバー１を第二コネクタハウジング６１に取り付け可能な向きにした状態を説明するための図である。図８は、（ａ）が図７に示したコネクタカバー１と、コネクタカバー１を取り付ける前の第二コネクタ６０とを異なる方向から視た図であり、（ｂ）がコネクタカバー１を取り付ける前の第二コネクタハウジング６１から引き出される電線９０を（ａ）の状態よりも大きく屈曲させた状態を示した図である。図９は、（ａ）がサブカバー部２０が電線仕分解除位置Ｐ１のコネクタカバー１を第二コネクタハウジング６１に取り付けた状態を説明するための図であり、（ｂ）が（ａ）に示した第二コネクタ６０を電線９０が屈曲される方向から視た図である。図１０は、サブカバー部２０を電線仕分位置Ｐ２にすることによってサイドカバー部２０を第二コネクタハウジング６１に組み付け完了した状態の第二コネクタ６０を示した図である。
まず、作業者は、サブカバー部２０が電線仕分解除位置Ｐ１のコネクタカバー１を第二コネクタハウジング６１に取り付け可能な向きにする（図７、図８（ａ）参照）。
ここで、作業者は、各電線引き出し口６３ａから引き出された６本の電線９０を屈曲方向に屈曲させることによって屈曲方向への癖をつけておく。
この状態で、電線９０が屈曲されると、電線９０が屈曲方向に引っ張られて端子収容室６２ａ内の防水シール部材９３に負荷がかかる。
なお、この状態で電線９０を大きく屈曲させたとしても、電線引き出し口６２ａの近傍、すなわち、防水シール部材９３の電線引き出し口６２ａ側の端部近傍では電線の外周に取り付けられた防水シール部材９３の厚みによる影響で、隣り合う電線９０の間の隙間が確保されている（図８（ｂ）参照）。
【００５１】
次に作業者は、サブカバー部２０が電線仕分解除位置Ｐ１のコネクタカバー１を第二コネクタハウジング６１に取り付ける（図９参照）。
ここで、コネクタカバー１の突き当て面１２ａが電線引き出し部６３の電線引き出し側端面６３ｅに突き当てられ、４つの係止爪部１３が２つの係止爪部１３ごと対で各被係止舌片部６３ｂが係止されることによって、第二コネクタハウジング６１に取り付けられる。
このようにしてコネクタカバー１が第二コネクタハウジング６１に取り付けられると、電線仕分解除位置Ｐ１のサブカバー本体部２１がヒンジ部２６を支点として図９（ｂ）に示した回動軌跡Ｌに沿って回動可能となる。
【００５２】
最後に、作業者は、サブカバー部２０を電線仕分位置Ｐ２にすることによってコネクタカバー１を第二コネクタハウジング６１に組み付け完了する（図１０参照）。
ここで、電線仕分解除位置Ｐ１のサブカバー本体部２１がヒンジ部２６を支点として図９（ｂ）に示した回動軌跡Ｌに沿って回動される。
これによって、サブカバー部２０が電線仕分解除位置Ｐ１から電線仕分位置Ｐ２に回動され、３つの仕分壁２２は、壁の上端部２２ｂが、対応する電線９０に取り付けられた防水シール部材９３の電線引き出し口６３ａ側の端部近傍から電線仕分位置Ｐ２への位置決めが開始される。
このため、３つの仕分壁２２は、防水シール部材９３の端部近傍の隣り合う電線の隙間が確保し易い部分に挿入開始され、しかも、上端部２２ｂがＣ面取り加工を施されているため、隣り合う電線９０の間に容易に挿入される。
また、サブカバー部２０が電線仕分位置Ｐ２に回動完了されると、各仕分壁２２が端子挿入方向Ｄと平行、かつ、電線引き出し口６３ａから引き出された電線の屈曲方向に並んで配置されるので、電線９０が屈曲されて屈曲方向に引っ張られた場合でも、各仕分壁２２が電線引き出し口６３ａ近傍から壁が延在された区間で電線９０が端子挿入方向に平行に矯正される。
【００５３】
本発明の実施例に係るコネクタカバー１は、３列に並ぶ３つ電線引き出し口６３ａに対応して設けられた３つの仕分壁２２が、端子収容室６２ａへの端子挿入方向Ｄと平行、かつ、電線引き出し口６３ａから引き出された電線９０の屈曲方向に並んで配置され、電線引き出し口６３ａから引き出された電線９０を電線引き出し口６３ａの近傍から端子挿入方向Ｄに平行に矯正したい区間だけ電線引き出し口６３ａの近傍から延在されているので、２行３列に並ぶ６つの電線引き出し口６３ａから引き出された電線９０が屈曲された状態で屈曲方向に引っ張られると、電線引き出し口６３ａの周辺部分の各電線９０が、各仕分壁２２に押し当てられ、電線引き出し口６３ａの近傍から端子挿入方向Ｄに平行に矯正したい区間だけ仕分壁２２に沿って端子挿入方向Ｄに平行になるように矯正され、これによって、各電線９０が屈曲方向に引っ張られて防水シール部材９３が端子挿入方向Ｄに対して傾くことを阻止することができるため、電線引き出し口６３ａと防水シール部材９３との間に隙間が発生することを防止し、結果的に、端子収容室６２ａの防水性能を高めることができる。
特に、車載カメラ１００が車両に搭載され電線９０が配索された状態において、隙間の発生を防止することにもなる。
【００５４】
また、本発明の実施例に係るコネクタカバー１は、３つの仕分壁２２が、サブカバー部２０がヒンジ部２６を介して電線仕分解除位置Ｐ１から電線仕分位置Ｐ２に回動されることによって、壁の上端部２２ｂが、対応する電線９０に取り付けられた防水シール部材９３の電線引き出し口６３ａ側の端部近傍から隣り合う電線９０の間に挿入開始されるように、上端部２２ｂの回動軌跡Ｌが調整されているので、隣り合う電線９０の間に配置される仕分壁２２が、防水シール部材９３の端部近傍の防水シール部材９３の厚みによる影響で、隣り合う電線９０の隙間が確保され易い部分に挿入開始され、結果的に、仕分壁２２によって複数の電線９０を仕分けし易くすることができる。
【００５５】
また、本発明の実施例に係るコネクタカバー１は、上端部２２ｂがＣ面取り加工を施されているので、隣り合う電線９０の間に上端部２２ｂが挿入され易くなるので、仕分壁２２によって複数の電線９０をより仕分けし易くすることができる。
【００５６】
なお、本発明の実施例に係るコネクタカバー１は、車載カメラ１００に組み込まれるものを例示したが、これに限らず、その他の機器に組み込まれるものであっても構わない。
【００５７】
また、本発明の実施例に係るコネクタカバー１は、３列に並ぶ電線９０に対応して３つの仕分壁２２が配置されるものを例示したが、仕分壁２２は、並んで配置される複数の電線９０に対応して複数配置されるようになっていれば３つに限らない。
【００５８】
また、本発明の実施例に係るコネクタカバー１は、仕分壁２２が電線引き出し口の列の並び方向に設けられるものを例示したが、これに限らず、電線引き出し口の行の並び方向に設けてもよい。
【００５９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６０】
１          コネクタカバー
１０        カバー本体部
１０ａ      サブカバー嵌め込み開口
１１        取付部
１２        取付本体部
１２ａ      突き当て面
１３        係止爪部
１３ａ      起立壁部
１３ｂ      爪部
１４        ガイドカバー部
１５        電線非屈曲許容部
１６        電線屈曲方向ガイド部
２０        サブカバー部
２１        サブカバー本体部
２２        仕分壁
２２ａ      外面
２２ｂ      上端部
２３        過大回動防止リブ
２４        ロック突起
２５        凹部
２５ａ      底面
２６        ヒンジ部
５０        第一コネクタ
５１        第一コネクタハウジング
５１ａ      フランジ部
５２        第一嵌合部
５２ａ      ロック突起
５３        カメラ筐体
５４        第一端子
６０        第二コネクタ
６１        第二コネクタハウジング（コネクタハウジング）
６２        第二嵌合部
６２ａ      端子収容室
６２ｃ      内側嵌合部
６２ｄ      外側嵌合壁
６３        電線引き出し部
６３ａ      電線引き出し口
６３ｂ      被係止舌片部
６３ｄ      本体部分
６３ｅ      端面
６４        ロックアーム部
６５        係止部材装着部
７０        保持部材
８０        係止部材
９０        電線
９１        第二端子（端子）
９３        防水シール部材
９４        防水パッキン
１００      車載カメラ
Ｐ１、Ｐ２  位置
Ｄ          端子挿入方向
【図１】
2017212099.tif 000003
【図２】
2017212099.tif 000004
【図３】
2017212099.tif 000005
【図４】
2017212099.tif 000006
【図５】
2017212099.tif 000007
【図６】
2017212099.tif 000008
【図７】
2017212099.tif 000009
【図８】
2017212099.tif 000010
【図９】
2017212099.tif 000011
【図１０】
2017212099.tif 000012